(57)【要約】【課題】専用のコネクタを用いることなく線状部材の配索方向を所望の方向に設定することが可能な線状部材の支持構造の提供。【解決手段】車体側に固定された板状部材２０ａに挿通孔２５を形成し、線状部材２７を挿通孔２５に挿通した状態で板状部材２０ａによって支持する。保持部材２９は、挿通孔２５に係合して保持される環形状挿通孔係合部３３と、線状部材２７の端部と他の線状部材３２の端部とが着脱可能に接続されるコネクタ２８を着脱可能に保持するコネクタ保持部３６とを一体的に有する。線状部材２７は、環形状挿通孔係合部３３の内側を挿通した状態で、コネクタ保持部３６に保持されたコネクタ２８に接続されることによって、板状部材２０ａに支持される。【選択図】図３
2019001392.tif 000002
【特許請求の範囲】
【請求項１】
車体側に固定された板状部材に挿通孔を形成し、線状部材を前記挿通孔に挿通した状態で前記板状部材によって支持する線状部材の支持構造であって、
前記線状部材の端部と他の線状部材の端部とが着脱可能に接続されるコネクタと、
前記挿通孔に係合して保持される環形状挿通孔係合部と、前記コネクタを着脱可能に保持するコネクタ保持部とを一体的に有する保持部材と、を備え、
前記線状部材は、前記挿通孔係合部の内側を挿通した状態で、前記コネクタ保持部に保持された前記コネクタに接続されることによって、前記板状部材に支持される
ことを特徴とする線状部材の支持構造。
【請求項２】
請求項１に記載の線状部材の支持構造であって、
前記コネクタ保持部は、前記線状部材が接続される前記コネクタの一端の全周の少なくとも一部を視認可能に露出させる状態で前記コネクタを保持する
ことを特徴とする線状部材の支持構造。
【発明の詳細な説明】
【技術分野】
【０００１】
本発明は、線状部材の支持構造に関する。
【背景技術】
【０００２】
特許文献１には、車両用シートのエアサスペンション構造が記載されている。特許文献１では、ロアフレームが車両の床上に固定されている。また、ロアフレームに固定された板状部材にコネクタが保持され、配管がコネクタに接続された状態が図示されている。
【先行技術文献】
【特許文献】
【０００３】
【特許文献１】特開平０５−１３１８６９号公報
【発明の概要】
【発明が解決しようとする課題】
【０００４】
特許文献１に記載の構成では、車体側（ロアフレーム）に板状部材が固定され、板状部材にコネクタが保持され、コネクタに配管（線状部材）が接続されるので、線状部材の配索方向は、板状部材に対するコネクタの保持姿勢及びコネクタの形状によって決まる。このため、線状部材を所望の方向に配索する場合、その配索方向に応じた保持姿勢及び形状に設定された専用のコネクタを用いる必要がある。
【０００５】
そこで、本発明は、専用のコネクタを用いることなく線状部材の配索方向を所望の方向に設定することが可能な線状部材の支持構造の提供を目的とする。
【課題を解決するための手段】
【０００６】
本実施形態に係る線状部材の支持構造は、車体側に固定された板状部材に挿通孔を形成し、線状部材を挿通孔に挿通した状態で板状部材によって支持する線状部材の支持構造であって、コネクタと保持部材とを備える。コネクタは、線状部材の端部と他の線状部材の端部とが着脱可能に接続される。保持部材は、挿通孔に係合して保持される環形状挿通孔係合部と、コネクタを着脱可能に保持するコネクタ保持部とを一体的に有する。線状部材は、挿通孔係合部の内側を挿通した状態で、コネクタ保持部に保持されたコネクタに接続されることによって、板状部材に支持される。
【０００７】
上記構成では、線状部材と他の線状部材とを接続するとともに板状部材によって保持する場合、保持部材のコネクタ保持部によってコネクタを保持し、保持部材の環形状挿通孔係合部を挿通孔に係合することにより保持部材を板状部材に保持し、環形状挿通孔係合部の内側に線状部材を挿通して線状部材をコネクタに接続し、他の線状部材をコネクタに接続する。係る接続状態において、他の線状部材の配索方向は、保持部材によるコネクタの保持姿勢によって決まるので、コネクタ保持部によるコネクタの保持姿勢が他の線状部材の配索方向に応じて相違する複数種類の保持部材を用意し、他の線状部材の配索方向に応じた保持部材を用いることによって、同一形状のコネクタを使用して他の線状部材の配索方向を所望の方向に設定することができる。
【０００８】
また、板状部材に形成される挿通孔に係合した環形状挿通孔係合部の内側に線状部材が挿通しているので、挿通孔と線状部材との干渉を環形状挿通孔係合部によって防ぐことができる。従って、板状部材に形成される挿通孔との干渉に起因する線状部材の損傷を抑制することができる。
【０００９】
また、コネクタ保持部は、線状部材が接続されるコネクタの一端の全周の少なくとも一部を視認可能に露出させる状態でコネクタを保持してもよい。
【００１０】
上記構成では、コネクタ保持部に保持されたコネクタは、その一端の全周の少なくとも一部が視認可能に露出するので、線状部材の先端を環形状挿通孔係合部に挿入してコネクタの一端に接続する際に、線状部材の先端とコネクタの一端とを目視しながら接続することができ、接続作業を容易に且つ確実に行うことができる。
【発明の効果】
【００１１】
本発明によれば、専用のコネクタを用いることなく線状部材の配索方向を所望の方向に設定することができる。
【図面の簡単な説明】
【００１２】
【図１】本実施形態に係る線状部材の支持構造を備える車両用シートを示す側面図である。
【図２】図１の車両用シートの正面図である。
【図３】線状部材が板状部材に支持された状態を示す斜視図である。
【図４】図３のＩＶ−ＩＶ矢視断面図である。
【図５】保持部材を示す斜視図である。
【図６】保持部材を示す斜視図である。
【発明を実施するための形態】
【００１３】
以下、本発明の実施形態に係る線状部材の支持構造を有する車両用シート（以下シートと略称する）１について、図面に基づいて説明する。なお、以下の説明における前後左右は、シート１の着座者が向く方向を前方とした場合の前後左右を意味する。
【００１４】
シート１は、車両用のサスペンションシートであり、図１及び図２に示すように、着座者の臀部を支持するシートクッション２と、着座者の背部を支持するシートバック３とを備える。シートクッション２及びシートバック３の各パッド材（図示省略）は、骨格部材であるクッションフレーム（図示省略）及びバックフレーム（図示省略）によってそれぞれ支持される。
【００１５】
車室内の床面４には、メインベース６がシート支持脚５によって支持されている。メインベース６の上方にはクッションベース７が配置される。クッションベース７の上面には、前後方向に沿って延びる左右１対のロアレール８が固定され、左右のロアレール８は、左右のアッパレール９を前後方向にスライド移動自在にそれぞれ支持する。アッパレール９の上面にはクッションフレームが固定される。メインベース６とクッションベース７とは、左右１対のリンク機構１０によって連結され、メインベース６とクッションベース７との間にはエアスプリング１１が設けられる。なお、図１では、左右のリンク機構１０のうち一方（左側）を図示し、他方（右側）の図示を省略している。リンク機構１０とエアスプリング１１とは、サスペンション装置１２を構成し、メインベース６に対するクッションベース７（シートクッション２）の上下動を許容する。サスペンション装置１２は、シートクッション２と床面４との間の相対的な上下動を許容した状態でシートクッション２を下方から支持し、床面４等に伝達された衝撃や振動等から着座者を隔離するとともに、着座者に起因する衝撃や振動等を減衰させる。
【００１６】
左側のリンク機構１０は、Ｘ状に交叉する第１リンク１３及び第２リンク１４と、第１リンク１３と第２リンク１４とを回転自在に連結する回転軸１５と、クッションベース７に固定されて前後方向に延びる上側のレール１６と、メインベース６に固定されて前後方向に延びる下側のレール１７とを備える。
【００１７】
上下のレール１６，１７は、側面部（図示省略）と上面部（図示省略）と下面部（図示省略）とを一体的に有するＵ状断面であり、上面部及び下面部は、側面部の上端縁及び下端縁から曲折して相対向する。上側のレール１６の内側には、左右方向に延びる上側のローラ支持軸（図示省略）に回転自在に支持される上側のローラ１８が設けられる。下側のレール１７内側には、左右方向に延びる下側のローラ支持軸（図示省略）に回転自在に支持される下側のローラ１９が設けられる。
【００１８】
第１リンク１３は、その前端（下端）がメインベース６に回転自在に支持されて後斜め上方へ延び、その後端（上端）が上側のローラ１８に回転自在に連結される。第２リンク１４は、その前端（上端）がクッションベース７に回転自在に支持されて後斜め下方へ延び、その後端（下端）が下側のローラ１９に回転自在に連結される。上側のローラ１８及び下側のローラ１９は、メインベース６に対するクッションベース７の上下動（車体側に対するシート１の移動）に応じて転動する。右側のリンク機構１０も右側と同様に、第１リンク１３、第２リンク１４、回転軸１５、及び上下のレール１６，１７を備える。
【００１９】
エアスプリング１１は、メインベース６とクッションベース７の間に配置されるエアスプリング本体２６を有する。エアスプリング本体２６の下端部には、エアスプリング本体２６内と連通する空気流通管（線状部材）２７が接続され、エアスプリング本体２６内に対する空気の供給及び排出は空気流通管２７を介して行われる。エアスプリング本体２６内に対して空気を供給及び排出することによって、シートクッション２が昇降し、及び／又はシートクッション２による着座者の臀部の弾性支持状態が変わる。
【００２０】
図１及び図３に示すように、シート支持脚５は、メインベース６の下面の前方に設けられる左右１対の前方シート支持脚２０と、メインベース６の下面の後方に設けられる左右１対の後方シート支持脚２１とを有し、床面４に固定されてメインベース６を車体側に支持する。左右の前方シート支持脚２０は、メインベース６の下面を前後方向に沿って延びる上方支持部２２と、上方支持部２２の後端縁から下方へ曲折して延びる縦板部２３と、縦板部２３から前方に曲折して床面４の上面を前後方向に延びる下方支持部２４とをそれぞれ有する板状部材である。上方支持部２２は、上方固定ボルト（図示省略）によってメインベース６の下面に固定され、下方支持部２４は、下方固定ボルト３９によって床面４に固定される。左側の前方シート支持脚（板状部材）２０ａの縦板部２３には、エアスプリング本体２６に接続される空気流通管２７が挿通する配管挿通孔（挿通孔）２５が形成される。配管挿通孔２５は、空気流通管２７の先端に設けられるコネクタ２８よりも大きな円形である。
【００２１】
図４に示すように、空気流通管２７は、エアスプリング本体２６の下端部から前方へ延びて配管挿通孔２５を挿通する第１配管部３０と、第１配管部３０から左前方に曲折して延びる第２配管部３１とを有する。空気流通管２７の先端には、コネクタ２８が接続される。
【００２２】
コネクタ２８は、両端に開口する略円筒形であり、一端の開口２８ａには空気流通管２７の第２配管部３１の先端が挿入され、他端の開口２８ｂには他の空気流通管（他の線状部材）３２の一端が挿入される。他の空気流通管３２の他端側は、エアスプリング本体２６へ空気を供給するエアタンク（図示省略）に接続される空気供給路（図示省略）と、エアスプリング本体２６からの空気が排出される空気排出部（図示省略）に接続される空気排出路（図示省略）とに分岐する。空気供給路には、供給用弁（図示省略）が設けられ、空気排出路には、排出用弁（図示省略）が設けられる。供給用弁が開いて、排出用弁が閉じた状態では、エアタンクからエアスプリング本体２６へ供給用弁を介して空気が供給される。供給用弁が閉じて、排出用弁が開いた状態では、エアスプリング本体２６から排出用弁及び空気排出部を介して空気が排出される。
【００２３】
コネクタ２８は、配管ホルダ（保持部材）２９によって左側の前方シート支持脚２０ａに支持される。コネクタ２８の内周には、挿入された空気流通管２７及び他の空気流通管３２の外周と係合して空気流通管２７及び他の空気流通管３２の抜けを防止する係合部（図示省略）がそれぞれ設けられている。コネクタ２８の外周面には、後述するコネクタ保持部３６のコネクタ係合部４２が係合する保持部係合溝（図示省略）が形成される。
【００２４】
図３〜図６に示すように、配管ホルダ２９は、配管挿通孔２５と係合する挿通孔係合部（環形状挿通孔係合部）３３と、挿通孔係合部３３の右側の前面から前方へ延びる第１配索部３４と、第１配索部３４から左前方へ曲折して延びる第２配索部３５と、第２配索部３５の先端に設けられてコネクタ２８を保持するコネクタ保持部３６とを有する。挿通孔係合部３３は、挿通孔係合部３３が配管挿通孔２５に係合したホルダ係合状態で、全周の一部（本実施形態では左側）が不連続となるＣ形状である環状部３７と、環状部３７の後面から後方へ突出して配管挿通孔２５の外周縁と係合する複数（本実施形態では６個）の係合爪部３８とを有する。コネクタ保持部３６は、第２配索部３５の先端の上端縁から半円形に突出する上方保持部４０と、下端縁から半円形に突出する下方保持部４１とを有し、ホルダ係合状態で全周の一部（本実施形態では左側）が不連続となるＣ形状である。上方保持部４０及び下方保持部４１の内周面には、コネクタ２８の保持部係合溝と係合するコネクタ係合部４２が形成される。コネクタ２８は、上方保持部４０及び下方保持部４１に挟まれた状態で、上方保持部４０及び下方保持部４１のコネクタ係合部４２が保持部係合溝に係合することによって、コネクタ保持部３６に保持される。配管挿通孔２５に係合した挿通孔係合部３３の内側に空気流通管２７が挿通した状態で、空気流通管２７の先端に設けられたコネクタ２８をコネクタ保持部３６が保持することによって、空気流通管２７は左側の前方シート支持脚２０ａに取付けられる。なお、本実施形態では、樹脂から成る配管ホルダ２９が例示されているが、これに限定されるものではなく、ゴム等から成る配管ホルダであってもよい。また、挿通孔係合部３３及びコネクタ保持部３６はＣ形状であるが、これに限定されるものではなく、全周が連続するＯ形状であってもよい。
【００２５】
上記のように構成された線状部材の支持構造では、空気流通管２７と他の空気流通管３２とを接続するとともに左側の前方シート支持脚２０ａによって保持する場合、配管ホルダ２９のコネクタ保持部３６によってコネクタ２８を保持し、配管ホルダ２９の挿通孔係合部３３を配管挿通孔２５に係合することにより配管ホルダ２９を左側の前方シート支持脚２０ａに保持し、挿通孔係合部３３の内側に空気流通管２７を挿通して空気流通管２７をコネクタ２８に接続し、他の空気流通管３２をコネクタ２８に接続する。係る接続状態において、他の空気流通管３２の配索方向は、配管ホルダ２９によるコネクタ２８の保持姿勢によって決まるので、配管ホルダ２９によるコネクタ２８の保持姿勢が他の空気流通管３２の配索方向に応じて相違するように形状（挿通孔係合部３３に対するコネクタ３６の位置関係）が異なる複数種類の配管ホルダを用意し、他の空気流通管３２の配索方向に応じた配管ホルダを用いることによって、同一形状の汎用のコネクタ２８を使用して他の空気流通管３２の配索方向を所望の方向に設定することができる。
【００２６】
また、左側の前方シート支持脚２０ａに形成される配管挿通孔２５に係合した挿通孔係合部３３の内側に空気流通管２７が挿通しているので、配管挿通孔２５と空気流通管２７との干渉を挿通孔係合部３３によって防ぐことができる。従って、左側の前方シート支持脚２０ａに形成される配管挿通孔２５との干渉に起因する空気流通管２７の損傷を抑制することができる。
【００２７】
また、コネクタ保持部３６に保持されたコネクタ２８は、上方保持部４０及び下方保持部４１が保持部係合溝に係合することによって、コネクタ保持部３６に保持されるので、その一端の全周が視認可能に露出する。従って、空気流通管２７の先端を挿通孔係合部３３に挿入してコネクタ２８の一端に接続する際に、空気流通管２７の先端とコネクタ２８の一端とを目視しながら接続することができ、接続作業を容易に且つ確実に行うことができる。
【００２８】
なお、上記実施形態では、第１配索部３４が挿通孔係合部３３の右側の前面から前方へ延び、第２配索部３５が第１配索部３４から左前方へ曲折して延びる構造を例示したが、これに限定されるものではない。例えば、第１配索部が挿通孔係合部３３の上側及び下側の前面から前方にそれぞれ延び、第２配索部が上下の第１配索部から左前方へ曲折してそれぞれ延びる構造であってもよい。
【００２９】
また、本実施形態では、空気流通管２７及び他の空気流通管３２が線状部材である場合について説明したが、線状部材は空気流通管２７及び他の空気流通管３２に限定されるものではなく、例えば、ハーネス等であってもよい。
【００３０】
以上、本発明について、上記実施形態に基づいて説明を行ったが、本発明は上記実施形態の内容に限定されるものではなく、当然に本発明を逸脱しない範囲で適宜変更が可能である。すなわち、この実施形態に基づいて当業者等によりなされる他の実施形態、実施例および運用技術等は全て本発明の範疇に含まれることは勿論である。
【産業上の利用可能性】
【００３１】
本発明の線状部材の支持構造は、トラックその他の車両に広く利用することができる。
【符号の説明】
【００３２】
１  シート
４  床面
５  シート支持脚
６  メインベース
７  クッションベース
１０  リンク機構
１１  エアスプリング
１２  サスペンション装置
２０  前方シート支持脚
２０ａ  左側の前方シート支持脚（板状部材）
２１  後方シート支持脚
２２  上方支持部
２３  縦板部
２４  下方支持部
２５  配管挿通孔（挿通孔）
２６  エアスプリング本体
２７  空気流通管（線状部材）
２８  コネクタ
２９  配管ホルダ（保持部材）
３０  第１配管部
３１  第２配管部
３２  他の空気流通管（他の線状部材）
３３  挿通孔係合部（環形状挿通孔係合部）
３４  第１配索部
３５  第２配索部
３６  コネクタ保持部
３７  環状部
３８  係合爪部
４０  上方保持部
４１  下方保持部
４２  コネクタ係合部
【図１】
2019001392.tif 000003
【図２】
2019001392.tif 000004
【図３】
2019001392.tif 000005
【図４】
2019001392.tif 000006
【図５】
2019001392.tif 000007
【図６】
2019001392.tif 000008